(57)【要約】【課題】チャンネル番号の誤入力を容易に修正できるチャンネル選局装置及びテレビジョン受像機を提供する。【解決手段】チャンネル選局装置（例えば、テレビジョン受像機１００）において、修正手段（例えば、ＣＰＵ１８１、修正プログラム１８４ｂ等）は、数字キー（例えば、テンキー３ｂ）の操作によるチャンネル番号の入力後、一定時間の間のアップ／ダウンキー（例えば、チャンネルアップ／ダウンキー３ｃ）の操作に応じて、入力されたチャンネル番号における末尾の桁の数字をアップ／ダウンすることにより、当該末尾の桁を修正する。【選択図】図１
2007288516.tif 000002
【特許請求の範囲】
【請求項１】
複数の数字キーを備え、当該数字キーの操作によりチャンネル番号を入力して、チャンネルの選局を行うテレビジョン受像機において、
前記数字キーの操作によるチャンネル番号の入力後、一定時間の間のアップ／ダウンキーの操作に応じて、入力されたチャンネル番号における末尾の桁の数字をアップ／ダウンさせることにより、当該末尾の桁を修正する修正手段を備えることを特徴とするテレビジョン受像機。
【請求項２】
複数の数字キーを備え、当該数字キーの操作によりチャンネル番号を入力して、チャンネルの選局を行うチャンネル選局装置において、
前記数字キーの操作によるチャンネル番号の入力後、一定時間の間の所定キーの操作に応じて、入力されたチャンネル番号における所定の桁の数字を修正する修正手段を備えることを特徴とするチャンネル選局装置。
【請求項３】
前記所定キーは、アップ／ダウンキーであり、
前記修正手段は、前記アップ／ダウンキーの操作に応じて、入力されたチャンネル番号における所定の桁の数字をアップ／ダウンさせることにより、当該所定の桁を修正することを特徴とする請求項２に記載のチャンネル選局装置。
【請求項４】
前記所定の桁は、チャンネル番号における末尾の桁であることを特徴とする請求項２又は３に記載のチャンネル選局装置。
【請求項５】
複数の数字キーを備え、当該数字キーの操作によりチャンネル番号を入力して、チャンネルの選局を行うチャンネル選局装置において、
前記数字キーの操作によるチャンネル番号の入力後、一定時間の間の前記数字キーの操作に応じて、入力されたチャンネル番号における末尾の桁の数字を修正する修正手段を備えることを特徴とするチャンネル選局装置。
【発明の詳細な説明】
【技術分野】
【０００１】
本発明は、チャンネル番号を入力して所望のチャンネルを選局するチャンネル選局装置及びテレビジョン受像機に関する。
【背景技術】
【０００２】
近年、多チャンネル放送を実現するデジタル放送の普及に伴い、３桁以上のチャンネル番号を入力して、所望の番組を選局する放送受信装置が増えている。このような放送受信装置では、チャンネル番号の桁数の増加に応じてチャンネルの選局操作が困難となっており、これまで、ユーザの選局操作を容易にするための種々の技術が提案されている。
【０００３】
例えば、特許文献１には、ＵＰ／ＤＯＷＮキーをユーザーが「単発押下」したか「連続押下」（又は「ダブル押下」）したかに応じて選局処理を異ならせる受信機が開示されている。即ち、「単発押下」の場合には、従来の選局方法と同様にチャンネルリストにより次のチャンネルを検索し、一方、「連続押下」の場合には、実際の受信処理は行わず、チャンネルリストにより一定間隔でチャンネルを順番に表示し続け、ユーザーがＵＰ／ＤＯＷＮキーから指を離した時点で表示されているチャンネルを実際に受信処理する。この構成によれば、ユーザーの選局操作時のフラストレーションを排除することができる。
また、例えば、特許文献２には、３桁目のキーが押し下げられている時間を判定し、３桁のサービス番号が枝番の入力を必要とするサービスであり、３桁目が押し下げされている時間が所定時間以上になったとき、前記枝番を順送りして表示装置に表示させ、当該表示された枝番に対応したサービスを順次、チャンネルアップして受信していくチャンネル選択装置が提案されている。これにより、枝番を必要とするサービス選択が簡単なリモコン操作で得られるようになる。
さらに、例えば、特許文献３には、アップ／ダウンチャンネル切換えモードを、標準選局モードと高速選局モードに切換え設定可能に構成し、予め不揮発性メモリに素早く選局したい特定のチャンネルを記憶させておき、リモートコントローラのチャンネルアップ／ダウンキーを操作して高速選局モードが選択された際に、特定チャンネルを選局したら切換え速度を落とすように設定することで、特定チャンネルを容易にかつ確実に選択できるようにした選局装置及び選局方法が提案されている。
【特許文献１】特開２００３−８４５７号公報
【特許文献２】特開２００５−５７７５号公報
【特許文献３】特開２００５−１９２００９号公報
【発明の開示】
【発明が解決しようとする課題】
【０００４】
しかしながら、これら特許文献１〜３の技術は、ユーザがチャンネル番号を誤入力した場合については考慮されておらず、とりわけ、複数桁のチャンネル番号における末尾の数字を誤入力した際には１桁目から入力し直さなくてはならないため、手間がかかるという問題があった。
【０００５】
本発明の課題は、チャンネル番号の誤入力を容易に修正できるチャンネル選局装置及びテレビジョン受像機を提供することである。
【課題を解決するための手段】
【０００６】
上記課題を解決するため、請求項１に記載の発明は、複数の数字キーを備え、当該数字キーの操作によりチャンネル番号を入力して、チャンネルの選局を行うテレビジョン受像機において、
前記数字キーの操作によるチャンネル番号の入力後、一定時間の間のアップ／ダウンキーの操作に応じて、入力されたチャンネル番号における末尾の桁の数字をアップ／ダウンさせることにより、当該末尾の桁を修正する修正手段を備えることを特徴とする。
【０００７】
請求項２に記載の発明は、複数の数字キーを備え、当該数字キーの操作によりチャンネル番号を入力して、チャンネルの選局を行うチャンネル選局装置において、
前記数字キーの操作によるチャンネル番号の入力後、一定時間の間の所定キーの操作に応じて、入力されたチャンネル番号における所定の桁の数字を修正する修正手段を備えることを特徴とする。
【０００８】
請求項３に記載の発明は、請求項２に記載のチャンネル選局装置において、前記所定キーは、アップ／ダウンキーであり、
前記修正手段は、前記アップ／ダウンキーの操作に応じて、入力されたチャンネル番号における所定の桁の数字をアップ／ダウンさせることにより、当該所定の桁を修正することを特徴とする。
【０００９】
請求項４に記載の発明は、請求項２又は３に記載のチャンネル選局装置において、前記所定の桁は、チャンネル番号における末尾の桁であることを特徴とする。
【００１０】
請求項５に記載の発明は、複数の数字キーを備え、当該数字キーの操作によりチャンネル番号を入力して、チャンネルの選局を行うチャンネル選局装置において、
前記数字キーの操作によるチャンネル番号の入力後、一定時間の間の前記数字キーの操作に応じて、入力されたチャンネル番号における末尾の桁の数字を修正する修正手段を備えることを特徴とする。
【発明の効果】
【００１１】
請求項１に記載の発明によれば、修正手段により、数字キーの操作によるチャンネル番号の入力後、一定時間の間のアップ／ダウンキーの操作に応じて、入力されたチャンネル番号における末尾の桁の数字をアップ／ダウンさせることにより、当該末尾の桁が修正されるので、チャンネル番号における末尾の桁の数字を誤入力した場合であっても、１桁目から入力し直す必要がなくなり、チャンネル番号の誤入力を容易に修正できることとなる。
【００１２】
請求項２に記載の発明によれば、修正手段により、数字キーの操作によるチャンネル番号の入力後、一定時間の間の所定キーの操作に応じて、入力されたチャンネル番号における所定の桁の数字が修正されるので、チャンネル番号における所定の桁の数字を誤入力した場合であっても、１桁目から入力し直す必要がなくなり、チャンネル番号の誤入力を容易に修正できることとなる。
【００１３】
請求項３に記載の発明によれば、請求項２に記載の発明の効果が得られるのは無論のこと、所定キーは、アップ／ダウンキーであり、修正手段は、アップ／ダウンキーの操作に応じて、入力されたチャンネル番号における所定の桁の数字をアップ／ダウンさせることにより、当該所定の桁を修正するので、チャンネル番号における所定の桁の数字を誤入力した場合であっても、アップ／ダウンキーの操作のみで、チャンネル番号の誤入力を容易に修正できることとなる。
【００１４】
請求項４に記載の発明によれば、請求項２又は３に記載の発明の効果が得られるのは無論のこと、所定の桁は、チャンネル番号における末尾の桁であるので、チャンネル番号の末尾の桁のみを誤入力した場合であっても、１桁目から入力し直すことなく、末尾の桁の数字のみを容易に修正できることとなる。
【００１５】
請求項５に記載の発明によれば、数字キーの操作によりチャンネル番号を入力して、チャンネルの選局を行うチャンネル選局装置において、数字キーの操作によるチャンネル番号の入力後、一定時間の間の数字キーの操作に応じて、入力されたチャンネル番号における末尾の桁の数字が修正されるので、チャンネル番号における末尾の桁の数字を誤入力した場合であっても、１桁目から入力し直す必要がなくなり、一の数字キーの操作のみで、チャンネル番号の誤入力を容易に修正できることとなる。
【発明を実施するための最良の形態】
【００１６】
以下、本発明の実施の形態を、図面を参照しながら詳細に説明する。
【００１７】
（実施形態１）
実施形態１では、チャンネル選局装置として、操作されたキーに対応するリモートコントロール信号を送信するリモートコントローラ１と、当該リモートコントローラ１から送信されるリモートコントロール信号を受信し、当該リモートコントロール信号に応じた制御を行う受像機本体２と、から構成されるテレビジョン受像機１００を例に挙げて説明する。
なお、チャンネル選局装置は、チャンネル番号を入力することによりチャンネルの選局を行う電子機器であればテレビジョン受像機１００でなくとも良く、例えば、ＤＶＤ（Digital Versatile Disc）プレーヤや、ＶＣＲ（Video Cassette Recorder）等であっても良い。また、チャンネル番号の入力は、遠隔制御を行うリモートコントローラ１によるものに限られず、機器本体にキーが設けられている構成であっても良い。
【００１８】
まず、本実施形態１におけるテレビジョン受像機１００全体の構成を、図１を参照しながら説明する。
本実施形態のテレビジョン受像機１００は、例えば、ユーザが遠隔操作によって各種指示を入力するためのリモートコントローラ（以下、リモコンという。）１と、リモコン１による遠隔操作の対象であり、テレビジョン放送局等から受信する放送信号に基づく映像・音声を出力する受像機本体２と、を備えて構成されている。
【００１９】
リモコン１は、複数のキーを備えるキー操作部３と、図示しない赤外線ＬＥＤ（Light Emitting Diode）等を備える送信部４と、リモコン１の各部を制御するＣＰＵ（Central Processing Unit）等を備える制御部５と、等を備えて構成されている。
【００２０】
キー操作部３は、例えば、図に示すように、受像機本体２の電源をオン／オフする電源キー３ａと、それぞれに「０」〜「９」の数字が割り当てられ、チャンネル番号等を入力するテンキー（数字キー）３ｂと、チャンネル番号を「＋１」するチャンネルアップキー及びチャンネル番号を「−１」するチャンネルダウンキーから構成され、チャンネル番号を変更するチャンネルアップ／ダウンキー（アップ／ダウンキー）３ｃと、地上デジタル放送を選択するための地上デジタルキー３ｄと、ＢＳ放送を選択するためのＢＳキー３ｅと、ＣＳ放送を選択するためのＣＳキー３ｆと、各種メニュー画面を映像出力部１６（後述）に表示させるメニューキー３ｇと、入力を確定する確定キー３ｈと、入力を消去するクリアキー３ｉと、音量を調節するボリュームアップ／ダウンキー３ｊと、音声モードを切替選択する音声モード切替キー３ｋと、前の画面に戻るための戻るキー３ｌと、等を備えている。そして、キー操作部３に備わるこれらのキーの押下操作がなされると、制御部５の制御により、押下操作されたキーに対応するリモコンコードが図示しないリモコンコードメモリから読み出され、読み出されたリモコンコードに基づくリモコン信号が生成されて、送信部４により送信されることとなる。
【００２１】
このテレビジョン受像機１００では、例えば、３桁のチャンネル番号の放送番組を選局する。
例えば、チャンネル番号「３３０」のチャンネルを選局する場合、テンキー３ｂの「３」「３」「０」を順に押下操作してチャンネル番号を入力する必要があるが、ユーザが、例えば、末尾の桁としての３桁目の入力を間違えて「３３９」と誤入力してしまった場合、本実施形態１におけるテレビジョン受像機１００では、３桁目の入力から一定時間以内（例えば、３秒間以内）は、チャンネルアップ／ダウンキー３ｃにより３桁目の修正が可能である。すなわち、ユーザは、３桁目の「９」の入力から一定時間以内（例えば、３秒間以内）に、チャンネルアップ／ダウンキー３ｃを操作して３桁目の「９」を「０」にチャンネルアップさせて修正することにより、１桁目から再びチャンネル番号を入力し直すことなく、正しいチャンネル番号「３３０」を入力することができる。
【００２２】
受像機本体２は、リモコン１から送信されたリモコン信号を受信するリモコン信号受光部６と、放送信号を受信するアンテナ７と、アンテナ７により受信された放送信号から所定のチャンネルの放送信号を選局するチューナ８と、チューナ８により選局された放送信号を復調する復調部９と、復調部９により復調された放送信号を分離するＴＳデコーダ１０と、ＴＳデコーダ１０により分離された放送信号を復号するビデオデコーダ１１及びオーディオデコーダ１２と、ビデオデコーダ１１により復号された映像信号に対して所定の処理を行う映像処理部１３と、オーディオデコーダ１２により復号された音声信号に対して所定の処理を行う音声処理部１４と、映像処理部１３により処理された映像信号にＯＳＤデータを付加するＯＳＤ回路１５と、映像処理部１３により処理された映像信号を出力する映像出力部１６と、音声処理部１４により処理された音声信号を出力する音声出力部１７と、受像機本体２全体を統括制御する制御部１８と、を備えており、各部はバス１９により接続されている。
【００２３】
リモコン信号受光部６は、例えば、図示は省略するが、フォトダイオードと、ＳＵＢＣＰＵと、増幅部と、復調部と、デコーダと、等を備えて構成されており、リモコン１から送信されたリモコン信号を、前面パネルに設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部１８に対して出力する。
【００２４】
アンテナ７は、例えば、地上デジタルアンテナ、ＢＳアンテナ、ＣＳアンテナ等であり、屋外において所定の方向に向けて配置され、図示しないテレビジョン放送局等から発信される高周波（RF）のテレビジョン放送信号（RF信号）を受信する。
チューナ８は、例えば、図示は省略するが、高周波増幅回路と、局部発振回路及び混合回路から成る周波数変換回路と、を備えて構成されており、アンテナ７等により入力されたテレビジョン放送信号を、高周波増幅回路において増幅し、混合回路において局部発振回路から出力される局部発振信号と混合する。さらに、特定の周波数を選局するための制御部１８からの制御出力に応じて、特定周波数帯の中間周波信号（IF信号）を受信し、当該中間周波信号に所定の処理を行って復調部９に出力する。
【００２５】
復調部９は、例えば、制御部１８からの指示に従って、チューナ８から出力された中間周波信号に対してデジタル復調や誤り訂正などの処理を実行し、トランスポートストリーム（TS）を生成して、ＴＳデコーダ１０に出力する。
ＴＳデコーダ１０は、復調部９から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等に分離するとともに、当該ビデオストリームをビデオデコーダ１１に、オーディオストリームをオーディオデコーダ１２に出力し、さらに、ＰＳＩ／ＳＩに含まれるデータを制御部１８に供給する。
ビデオデコーダ１１は、ＴＳデコーダ１０から入力されたビデオストリームを復号し、逆ＤＣＴ変換や動き補償制御等を行い、映像データを生成して映像処理部１３に出力する。また、オーディオデコーダ１２は、ＴＳデコーダ１０から入力されたオーディオストリームを復号し、音声データを生成して音声処理部１４に出力する。
【００２６】
映像処理部１３は、ビデオデコーダ１１から入力された映像データに対して、Ｄ／Ａ変換等の各種処理を施し、映像信号を生成する。また、音声処理部１４は、オーディオデコーダ１２から入力された音声データに対して、Ｄ／Ａ変換等の各種処理を施し、音声信号を生成する。生成された映像信号は映像出力部１６に出力され、音声信号は音声出力部１７に出力される。
【００２７】
ＯＳＤ回路１５は、制御部１８からの指示出力に応じて、ＲＯＭ１８４に格納された図示しないＯＳＤデータを映像処理部１３から出力された映像信号に合成する処理を行う。
【００２８】
映像出力部１６は、例えば、ＬＣＤ（Liquid Crystal Display）、ＰＤＰ（Plasma Display Panel）等を備え、映像処理部１３から入力された映像信号に基づく映像を表示させる。
音声出力部１７は、例えば、スピーカ１７ａ等を備え、音声処理部１４から入力された音声信号に基づく音声を当該スピーカ１７ａにより出力させる。
【００２９】
制御部１８は、ＣＰＵ（Central Processing Unit）１８１、ＲＡＭ（Random Access Memory）１８２、計時部１８３、ＲＯＭ（Read Only Memory）１８４等を備えて構成されている。
【００３０】
ＣＰＵ１８１は、受像機本体２及びリモコン１の各部から入力された入力信号に応じて、ＲＯＭ１８４に格納された各種プログラムを実行するとともに、実行にかかるプログラムに基づく出力信号を各部に出力することにより、テレビジョン受像機１００の動作全般を統括制御する。
【００３１】
ＲＡＭ１８２は、ＣＰＵ１８１のワークエリアとして用いられ、ＣＰＵ１８１によって各種プログラムが実行される際に生じる処理結果や、入力されたデータ等を一時的に記憶する。
【００３２】
計時部１８３は、例えば、所定の計時回路を有するものであり、具体的には、キー操作部３におけるチャンネル番号の入力操作が行われてからの経過時間を計時するものである。即ち、計時部１８３は、キー操作部３において、テンキー３ｂの押下操作によりチャンネル番号が入力されると、末尾の数字が入力されてからの経過時間を計時し、計時した経過時間をＣＰＵ１８１に出力する。
【００３３】
ＲＯＭ１８４は、ＣＰＵ１８１によって実行される各種データ処理プログラムの他、データ処理プログラムに係る各種初期設定値等を格納する。ＲＯＭ１８４には、例えば、チャンネル入力画面表示プログラム１８４ａ、修正プログラム１８４ｂ、確定プログラム１８４ｃ、選局プログラム１８４ｄ、報知プログラム１８４ｅ等が格納されている。
【００３４】
チャンネル入力画面表示プログラム１８４ａは、例えば、ＣＰＵ１８１に、キー操作部３における所定のキー操作に基づいて、チャンネル番号を入力するためのチャンネル入力画面を映像出力部１６に表示させる機能を実現させるためのプログラムである。
具体的には、ＣＰＵ１８１は、キー操作部３において、テンキー３ｂ（例えば、「１」）が押下操作されて、チャンネル番号の入力が開始されると、当該キー押下操作に基づいて、図３に示すようなチャンネル入力画面を映像出力部１６に表示させる。
【００３５】
修正プログラム１８４ｂは、例えば、ＣＰＵ１８１に、テンキー３ｂの操作によるチャンネル番号の入力後、一定時間の間のチャンネルアップ／ダウンキー３ｃの操作に応じて、入力されたチャンネル番号における末尾の桁の数字をアップ／ダウンさせることにより、当該末尾の桁を修正する機能を実現させるためのプログラムである。
具体的には、ＣＰＵ１８１は、チャンネル入力画面表示プログラム１８４ａの実行に基づいて映像出力部１６に表示されたチャンネル入力画面において、テンキー３ｂの操作により３桁のチャンネル番号の入力がなされると、最後のキー操作（即ち、チャンネル番号における末尾の桁の入力操作或いは修正操作）から一定時間以内（例えば、３秒間以内）に、チャンネルアップ／ダウンキー３ｃの操作がなされた場合、入力されたチャンネル番号における末尾の桁、すなわち、３桁目の数字を、当該チャンネルアップ／ダウンキー３ｃの押下操作に基づいてアップ／ダウンさせ、修正する。
ＣＰＵ１８１は、かかる修正プログラム１８４ｂを実行することにより、修正手段として機能する。
【００３６】
確定プログラム１８４ｃは、例えば、ＣＰＵ１８１に、映像出力部１６に表示されたチャンネル入力画面に基づいてチャンネル番号の入力がなされると、最後のキー操作（即ち、チャンネル番号における末尾の桁の入力操作或いは修正操作）から一定時間（例えば、３秒間）が経過後に、入力されたチャンネル番号を選局するチャンネルとして確定するとともに、映像出力部１６に表示されたチャンネル入力画面に基づいてチャンネル番号の入力がなされ、さらに確定キー３ｈが操作された場合に、入力されたチャンネル番号を選局するチャンネルとして確定する機能を実現させるためのプログラムである。
【００３７】
選局プログラム１８４ｄは、例えば、ＣＰＵ１８１に、確定プログラム１８４ｃの実行に基づいて確定されたチャンネルをチューナ８等により選局する機能を実現させるためのプログラムである。
【００３８】
報知プログラム１８４ｅは、例えば、ＣＰＵ１８１に、選局プログラム１８４ｄの実行により確定されたチャンネルを選局して、選局できなかった場合に、ユーザにその旨を報知する機能を実現させるためのプログラムである。
具体的には、ＣＰＵ１８１は、選局プログラム１８４ｄの実行によりチャンネルの選局を実行し、選局ができなかった場合に、ＯＳＤ回路１５において、ＲＯＭ１８４に格納された図示しないＯＳＤデータを映像信号に付加することで、図４に示すように、確定されたチャンネルが選局できない旨をユーザに報知するためのＯＳＤ表示（例えば、「このチャンネルは選局できません」等）を所定時間の間（例えば、３秒間）行う。
【００３９】
次に、ＣＰＵ１８１により実行されるチャンネル選局処理を、図５を参照しながら説明する。
本チャンネル選局処理は、ＣＰＵ１８１が、チャンネル入力画面表示プログラム１８４ａ、修正プログラム１８４ｂ、確定プログラム１８４ｃ、選局プログラム１８４ｄ、報知プログラム１８４ｅ等を実行することにより行われる。
【００４０】
まず、テレビジョン受像機１００では、ステップＳ１において、放送信号を受信して前述した処理を行うことで放送番組の視聴が行われている。ＣＰＵ１８１は、ステップＳ２において、リモコン信号受光部６からの信号入力を監視して、リモコン１のキー操作部３において、テンキー３ｂ等の押下操作によりチャンネル番号の入力が開始されたか否かを判断する。ＣＰＵ１８１は、ステップＳ２において、チャンネル番号の入力が開始されたと判断すると（ステップＳ２；Ｙｅｓ）、ステップＳ３において、チャンネル入力画面を映像出力部１６に表示させ、押下操作されたテンキー３ｂに対応するチャンネル番号を、当該チャンネル入力画面に表示させる（ステップＳ４）。
【００４１】
ここで、当該ステップＳ１〜Ｓ４において行われるＣＰＵ１８１の処理について、図６を参照しながら具体的に説明する。ここでは、例えば、ユーザが３桁のチャンネル番号「３３４」の末尾の桁を間違えて「３３５」と誤入力してしまう場合について説明する。
例えば、放送番組の視聴中に、リモコン１のキー操作部３において、例えば、ユーザによりテンキー「３」３ｂが押下操作されると、ＣＰＵ１８１は、チャンネル番号の入力が開始されたと判断し、チャンネル入力画面を映像出力部１６に表示させる（図６（ａ）参照）。続いて、ユーザにより、テンキー「３」３ｂが押下操作されると、チャンネル入力画面に２桁目として「３」を表示させ（図６（ｂ）参照）、さらに、テンキー「５」３ｂが押下操作されると、チャンネル入力画面に３桁目として「５」を表示させる（図６（ｃ）参照）。
【００４２】
次に、図５におけるステップＳ５において、ＣＰＵ１８１は、３桁目の数字が入力されてチャンネル番号の入力が終了したか否かを判断する。ＣＰＵ１８１は、ステップＳ５において、チャンネル番号の入力が終了したと判断すると（ステップＳ５；Ｙｅｓ）、ステップＳ６において、計時部１８３から経過時間データを取得して、末尾の桁の数字が入力或いは修正されてから一定時間が経過したか否か或いは確定キー３ｈの操作が有るか否かを判断する。ＣＰＵ１８１は、ステップＳ６において、一定時間が経過していない或いは確定キー３ｈの操作が無いと判断すると（ステップＳ６；Ｎｏ）、さらに、ステップＳ７において、リモコン１のキー操作部３において、チャンネルアップ／ダウンキー３ｃが操作されたか否かを判断する。ＣＰＵ１８１は、ステップＳ７において、チャンネルアップ／ダウンキー３ｃの操作が無いと判断すると（ステップＳ７；Ｎｏ）、ステップＳ６に戻って以上の処理を繰り返し、一方、チャンネルアップ／ダウンキー３ｃの操作が有ると判断すると（ステップＳ７；Ｙｅｓ）、当該チャンネルアップ／ダウンキー３ｃの操作に応じて、入力されたチャンネル番号における３桁目をアップ／ダウンさせることにより、３桁目の修正を行い（ステップＳ８）、ステップＳ６に戻る。
【００４３】
ここで、当該ステップＳ５〜ステップＳ８において行われるＣＰＵ１８１の処理について、図７を参照しながら具体的に説明する。
例えば、チャンネル番号「３３５」の末尾の桁である３桁目の「５」が入力されると、ＣＰＵ１８１は、計時部１８３により入力操作からの経過時間を計時させて、３桁目の「５」が入力されてから３秒間が経過したか否か或いは確定キー３ｈの操作が有るか否かを判断し、３秒間が経過していない或いは確定キー３ｈの操作が無いと判断した場合には、続いて、リモコン１のキー操作部３において、チャンネルアップ／ダウンキー３ｃの操作が有るか否かを判断する。ユーザが、３桁目の「５」の入力後、３秒間以内にチャンネルアップ／ダウンキー３ｃを押下操作してチャンネルダウンを行った場合、ＣＰＵ１８１は、チャンネルアップ／ダウンキー３ｃの操作が有ると判断し、当該チャンネルアップ／ダウンキー３ｃの操作に応じて、チャンネル入力画面に表示された「３３５」の３桁目「５」を「４」にチャンネルダウンさせる。
【００４４】
そして、図５におけるステップＳ６において、ＣＰＵ１８１は、一定時間が経過或いは確定キー３ｈの操作が有ると判断すると（ステップＳ６；Ｙｅｓ）、ステップＳ９において、入力されたチャンネル番号を確定して、当該チャンネル番号の選局を行い、放送局が有るか否かを判断する。ＣＰＵ１８１は、ステップＳ９において、確定されたチャンネル番号の放送局が有ると判断すると（ステップＳ９；Ｙｅｓ）、続いて、ステップＳ１０において、当該チャンネルの選局処理をおこない、本処理を終了する。
一方、ＣＰＵ１８１は、ステップＳ９において、確定されたチャンネル番号の放送局が無いと判断すると（ステップＳ９；Ｎｏ）、ステップＳ１１に進んで、ＯＳＤ回路１５により所定のＯＳＤデータを映像信号に付加させ、チャンネルが選局できない旨の報知を行う。
【００４５】
ここで、例えば、ユーザがステップＳ１〜Ｓ８の処理においてチャンネル番号「３３４」を入力した場合に、ステップＳ９〜Ｓ１１において行われるＣＰＵ１８１の処理について具体的に説明する。
例えば、チャンネル番号「３３４」の３桁目「４」の入力から３秒間が経過或いは確定キー３ｈが押下されると、ＣＰＵ１８１は、一定時間が経過或いは確定キー３ｈの操作が有ると判断し、入力されたチャンネル番号「３３４」を確定して、「３３４」のチャンネルの選局を行って、放送局が有るか否かを判断する。そして、ＣＰＵ１８１は「３３４」のチャンネルの放送局が有ると判断した場合には、当該「３３４」のチャンネルの放送信号を受信して、当該チャンネルの番組の視聴を行う。一方、ＣＰＵ１８１は「３３４」のチャンネルの放送局が無いと判断した場合には、ＯＳＤ回路１５において、所定のＯＳＤデータを映像信号に付加させることで、当該「３３４」のチャンネルが選局できない旨をユーザに報知するためのＯＳＤ表示を、映像出力部１６に所定時間（例えば、３秒間）表示させる。
【００４６】
次に、ＣＰＵ１８１は、図５におけるステップＳ１２において、チャンネルアップ／ダウンキー３ｃの操作が有るか否かを判断し、チャンネルアップ／ダウンキー３ｃの操作が無いと判断すると（ステップＳ１２；Ｎｏ）、ステップＳ１３において、チャンネルが選局できない旨の報知の消滅後、一定時間が経過したか否かを判断する。ＣＰＵ１８１は、ステップＳ１３において、一定時間が経過していないと判断すると（ステップＳ１３；Ｎｏ）、ステップＳ１２に戻って以上の処理を繰り返し、一方、一定時間が経過したと判断すると（ステップＳ１３；Ｙｅｓ）、元の番組の選局を行って、元の放送番組の視聴に戻り（ステップＳ１４）、本処理を終了する。
一方、ＣＰＵ１８１は、ステップＳ１２において、チャンネルアップ／ダウンキー３ｃの操作が有ると判断すると（ステップＳ１２；Ｙｅｓ）、操作されたチャンネルアップ／ダウンキー３ｃに応じて、入力されたチャンネル番号における３桁目をアップ／ダウンさせることにより、３桁目の修正を行い（ステップＳ１５）、ステップＳ６に戻って以上の処理を繰り返す。
【００４７】
ここで、例えば、ユーザがステップＳ１〜Ｓ１１の処理においてチャンネル番号「３３４」を入力して、当該チャンネルの放送局が無かった場合に、ステップＳ１２〜Ｓ１５において行われるＣＰＵ１８１の処理について具体的に説明する。
例えば、ＣＰＵ１８１は、チャンネルアップ／ダウンキー３ｃの操作が有るか否かを判断し、ユーザがチャンネルアップ／ダウンキー３ｃの操作を行わない場合には、チャンネルアップ／ダウンキー３ｃの操作が無いと判断し、続いて、チャンネルが選局できない旨の報知を消してから、一定時間が経過したか否かを判断する。そして、ＣＰＵ１８１は、一定時間が経過したと判断すると、元の放送番組のチャンネルを再び選局して、元の放送番組の視聴に戻る。
一方、ユーザがチャンネルアップ／ダウンキー３ｃの操作を行った場合、ＣＰＵ１８１は、チャンネルアップ／ダウンキー３ｃの操作が有ると判断して、当該チャンネルアップ／ダウンキー３ｃの操作に応じて、チャンネル入力画面に表示された「３３４」の３桁目「４」を、例えば「３」にチャンネルダウンさせ、再び前述した処理を行う。即ち、ＣＰＵ１８１は、３桁目が修正されてから一定時間が経過したか否か或いは確定キー３ｈの操作が有るか否かを判断し、一定時間が経過或いは確定キー３ｈの操作が有ると判断すると、入力されたチャンネル番号「３３３」を確定して、当該チャンネル番号「３３３」の選局を行い、放送局が有るか否かを判断し、放送局が有ると判断すると、当該チャンネル「３３３」のチャンネルの放送信号を受信して、当該チャンネルの番組の視聴を行う。
【００４８】
以上説明した本発明の実施形態１にかかるテレビジョン受像機１００によれば、ＣＰＵ１８１による修正プログラム１８４ｂの実行により、テンキー３ｂの操作によるチャンネル番号の入力後、一定時間の間のチャンネルアップ／ダウンキー３ｃの操作に応じて、入力されたチャンネル番号における末尾の桁の数字がアップ／ダウンされることにより、当該末尾の桁が修正されるので、チャンネル番号における末尾の桁の数字を誤入力した場合であっても、１桁目から入力し直す必要がなくなり、チャンネル番号の誤入力を容易に修正できることとなる。
【００４９】
（実施形態２）
次に、本発明を適用した実施形態２について説明する。
実施形態２では、チャンネル選局装置として、操作されたキーに対応するリモートコントロール信号を送信するリモートコントローラ２１と、当該リモートコントローラ２１から送信されるリモートコントロール信号を受信し、当該リモートコントロール信号に応じた制御を行う受像機本体２２と、から構成されるテレビジョン受像機２００を例に挙げて説明する。
なお、以下の説明において、実施形態１と同一部分の説明は同一符号を付して説明を省略し、異なる部分のみ説明を行うものとする。
【００５０】
まず、本実施形態２におけるテレビジョン受像機２００全体の構成を、図８を参照しながら説明する。
本実施形態のテレビジョン受像機２００は、例えば、ユーザが遠隔操作によって各種指示を入力するためのリモートコントローラ（以下、リモコンという。）２１と、リモコン２１による遠隔操作の対象であり、テレビジョン放送局等から受信する放送信号に基づく映像・音声を出力する受像機本体２２と、を備えて構成されている。
【００５１】
このテレビジョン受像機２００では、例えば、３桁のチャンネル番号の放送番組を選局する。
例えば、チャンネル番号３３７のチャンネルを選局する場合、テンキー３ｂの「３」「３」「７」を順に押下操作してチャンネル番号を入力する必要があるが、ユーザが、例えば、末尾の桁としての３桁目の入力を間違えて「３３４」と誤入力してしまった場合、本実施形態１におけるテレビジョン受像機２００では、３桁目の入力から一定時間以内（例えば、３秒間以内）は、数字キーとしてのテンキー３ｂにより３桁目の修正が可能である。すなわち、ユーザは、３桁目の「４」の入力から一定時間以内に（例えば、３秒間以内に）、テンキー３ｂの「７」を押下操作して３桁目の「４」を「７」に修正することにより、１桁目から再びチャンネル番号を入力し直すことなく、正しいチャンネル番号「３３７」を入力することができる。
【００５２】
受像機本体２２は、リモコン２１から送信されたリモコン信号を受信するリモコン信号受光部６と、放送信号を受信するアンテナ７と、アンテナ７により受信された放送信号から所定のチャンネルの放送信号を選局するチューナ８と、チューナ８により選局された放送信号を復調する復調部９と、復調部９により復調された放送信号を分離するＴＳデコーダ１０と、ＴＳデコーダ１０により分離された放送信号を復号するビデオデコーダ１１及びオーディオデコーダ１２と、ビデオデコーダ１１により復号された映像信号に対して所定の処理を行う映像処理部１３と、オーディオデコーダ１２により復号された音声信号に対して所定の処理を行う音声処理部１４と、映像処理部１３により処理された映像信号にＯＳＤデータを付加するＯＳＤ回路１５と、映像処理部１３により処理された映像信号を出力する映像出力部１６と、音声処理部１４により処理された音声信号を出力する音声出力部１７と、受像機本体２２全体を統括制御する制御部２３と、を備えており、各部はバス１９により接続されている。
【００５３】
制御部２３は、ＣＰＵ（Central Processing Unit）２３１、ＲＡＭ（Random Access Memory）２３２、計時部２３３、ＲＯＭ（Read Only Memory）２３４等を備えて構成されている。
【００５４】
ＣＰＵ２３１は、受像機本体２２及びリモコン２１の各部から入力された入力信号に応じて、ＲＯＭ２３４に格納された各種プログラムを実行するとともに、実行にかかるプログラムに基づく出力信号を各部に出力することにより、テレビジョン受像機２００の動作全般を統括制御する。
【００５５】
ＲＡＭ２３２は、ＣＰＵ２３１のワークエリアとして用いられ、ＣＰＵ２３１によって各種プログラムが実行される際に生じる処理結果や、入力されたデータ等を一時的に記憶する。
【００５６】
計時部２３３は、例えば、所定の計時回路を有するものであり、具体的には、キー操作部３におけるチャンネル番号の入力操作が行われてからの経過時間を計時するものである。即ち、計時部２３３は、キー操作部３において、テンキー３ｂの押下操作によりチャンネル番号が入力されると、末尾の数字が入力されてからの経過時間を計時し、計時した経過時間をＣＰＵ２３１に出力する。
【００５７】
ＲＯＭ２３４は、ＣＰＵ２３１によって実行される各種データ処理プログラムの他、データ処理プログラムに係る各種初期設定値等を格納する。ＲＯＭ２３４には、例えば、チャンネル入力画面表示プログラム２３４ａ、修正プログラム２３４ｂ、確定プログラム２３４ｃ、選局プログラム２３４ｄ、報知プログラム２３４ｅ等が格納されている。
【００５８】
チャンネル入力画面表示プログラム２３４ａは、例えば、ＣＰＵ２３１に、キー操作部３における所定のキー操作に基づいて、チャンネル番号を入力するためのチャンネル入力画面を映像出力部１６に表示させる機能を実現させるためのプログラムである。
具体的には、ＣＰＵ２３１は、キー操作部３において、テンキー３ｂ（例えば、「１」）が押下操作されて、チャンネル番号の入力が開始されると、当該キー押下操作に基づいて、図３に示すようなチャンネル入力画面を映像出力部１６に表示させる。
【００５９】
修正プログラム２３４ｂは、例えば、ＣＰＵ２３１に、テンキー３ｂの操作によるチャンネル番号の入力後、一定時間の間のテンキー３ｂの操作に応じて、入力されたチャンネル番号における末尾の桁の数字を修正する機能を実現させるためのプログラムである。
具体的には、ＣＰＵ２３１は、チャンネル入力画面表示プログラム２３４ａの実行に基づいて映像出力部１６に表示されたチャンネル入力画面において、テンキー３ｂの操作により３桁のチャンネル番号の入力がなされると、最後のキー操作（即ち、チャンネル番号における末尾の桁の入力操作或いは修正操作）から一定時間の間（例えば、３秒間）に、テンキー３ｂの操作がなされた場合、入力されたチャンネル番号における末尾の桁（即ち、例えば、３桁目）の数字を、当該テンキー３ｂの押下操作に基づいて、押下操作されたテンキー３ｂに割り当てられた数字に修正する。
ＣＰＵ２３１は、かかる修正プログラム２３４ｂを実行することにより、修正手段として機能する。
【００６０】
確定プログラム２３４ｃは、例えば、ＣＰＵ２３１に、映像出力部１６に表示されたチャンネル入力画面に基づいてチャンネル番号の入力がなされると、最後のキー操作（即ち、チャンネル番号における末尾の桁の入力操作或いは修正操作）から一定時間（例えば、３秒間）が経過後に、入力されたチャンネル番号を選局するチャンネルとして確定するとともに、映像出力部１６に表示されたチャンネル入力画面に基づいてチャンネル番号の入力がなされ、さらに確定キー３ｈが操作された場合に、入力されたチャンネル番号を選局するチャンネルとして確定する機能を実現させるためのプログラムである。
【００６１】
選局プログラム２３４ｄは、例えば、ＣＰＵ２３１に、確定プログラム２３４ｃの実行に基づいて確定されたチャンネルをチューナ８等により選局する機能を実現させるためのプログラムである。
【００６２】
報知プログラム２３４ｅは、例えば、ＣＰＵ２３１に、選局プログラム２３４ｄの実行により確定されたチャンネルを選局して、選局できなかった場合に、ユーザにその旨を報知する機能を実現させるためのプログラムである。
具体的には、ＣＰＵ２３１は、選局プログラム２３４ｄの実行によりチャンネルの選局を実行し、選局ができなかった場合に、ＯＳＤ回路１５において、ＲＯＭ２３４に格納された図示しないＯＳＤデータを映像信号に付加することで、図４に示すように、確定されたチャンネルが選局できない旨をユーザに報知するためのＯＳＤ表示（例えば、「このチャンネルは選局できません」等）を行う。
【００６３】
次に、ＣＰＵ２３１により実行されるチャンネル選局処理を、図９を参照しながら説明する。
本チャンネル選局処理は、ＣＰＵ２３１が、チャンネル入力画面表示プログラム２３４ａ、修正プログラム２３４ｂ、確定プログラム２３４ｃ、選局プログラム２３４ｄ、報知プログラム２３４ｅ等を実行することにより行われる。
【００６４】
まず、テレビジョン受像機２００では、ステップＳ２１において、放送信号を受信して前述した処理を行うことで放送番組の視聴が行われている。ＣＰＵ２３１は、ステップＳ２２において、リモコン信号受光部６からの信号入力を監視して、リモコン２１のキー操作部３において、テンキー３ｂ等の押下操作によりチャンネル番号の入力が開始されたか否かを判断する。ＣＰＵ２３１は、ステップＳ２２において、チャンネル番号の入力が開始されたと判断すると（ステップＳ２２；Ｙｅｓ）、ステップＳ２３において、チャンネル入力画面を映像出力部１６に表示させ、押下操作されたテンキー３ｂに対応するチャンネル番号を、当該チャンネル入力画面に表示させる（ステップＳ２４）。
【００６５】
ここで、当該ステップＳ２１〜Ｓ２４において行われるＣＰＵ２３１の処理について、図１０を参照しながら具体的に説明する。ここでは、例えば、ユーザがチャンネル番号「５２１」の末尾の桁を間違えて「５２４」と誤入力してしまう場合について説明する。
例えば、放送番組の視聴中に、リモコン２１のキー操作部３において、例えば、ユーザによりテンキー「５」３ｂが押下操作されると、ＣＰＵ２３１は、チャンネル番号の入力が開始されたと判断し、チャンネル入力画面を映像出力部１６に表示させる（図１０（ａ）参照）。続いて、ユーザにより、テンキー「２」３ｂが押下操作されると、チャンネル入力画面に「２」を表示させ（図１０（ｂ）参照）、さらに、テンキー「４」３ｂが入力されると、チャンネル入力画面に「４」を表示させる（図１０（ｃ）参照）。
【００６６】
次に、図９におけるステップＳ２５において、ＣＰＵ２３１は、３桁目の数字が入力されてチャンネル番号の入力が終了したか否かを判断する。ＣＰＵ２３１は、ステップＳ２５において、チャンネル番号の入力が終了したと判断すると（ステップＳ２５；Ｙｅｓ）、ステップＳ２６において、計時部２３３から経過時間データを取得して、末尾の桁の数字が入力或いは修正されてから一定時間が経過したか否か或いは確定キー３ｈの操作が有るか否かを判断する。ＣＰＵ２３１は、ステップＳ２６において、一定時間が経過していない或いは確定キー３ｈの操作が無いと判断すると（ステップＳ２６；Ｎｏ）、さらに、ステップＳ２７において、リモコン２１のキー操作部３において、テンキー３ｂが操作されたか否かを判断する。ＣＰＵ２３１は、ステップＳ２７において、テンキー３ｂの操作が無いと判断すると（ステップＳ２７；Ｎｏ）、ステップＳ２６に戻って以上の処理を繰り返し、一方、テンキー３ｂの操作が有ると判断すると（ステップＳ２７；Ｙｅｓ）、当該テンキー３ｂの操作に応じて、入力されたチャンネル番号における３桁目の修正を行い（ステップＳ２８）、ステップＳ２６に戻る。
【００６７】
ここで、当該ステップＳ２５〜ステップＳ２８において行われるＣＰＵ２３１の処理について、図１１を参照しながら具体的に説明する。
例えば、チャンネル番号「５２４」の末尾の桁である３桁目の「４」が入力されると、ＣＰＵ２３１は、計時部２３３により入力操作からの経過時間を計時させて、３桁目の「４」が入力されてから３秒間が経過したか否か或いは確定キー３ｈの操作が有るか否かを判断し、３秒間が経過していない或いは確定キー３ｈの操作が無いと判断した場合には、続いて、リモコン２１のキー操作部３において、テンキー３ｂの操作が有るか否かを判断する。ユーザが、３桁目の「４」の入力後、３秒間以内にテンキー「１」３ｂを押下操作した場合、ＣＰＵ２３１は、テンキー３ｂの操作が有ると判断し、当該テンキー「１」３ｂの操作に応じて、チャンネル入力画面に表示された「５２４」の３桁目「４」を「１」に修正させる。
【００６８】
そして、図９におけるステップＳ２６において、ＣＰＵ２３１は、一定時間が経過或いは確定キー３ｈの操作が有ると判断すると（ステップＳ２６；Ｙｅｓ）、ステップＳ２９において、入力されたチャンネル番号を確定して、当該チャンネル番号の選局を行い、放送局が有るか否かを判断する。ＣＰＵ２３１は、ステップＳ２９において、確定されたチャンネル番号の放送局が有ると判断すると（ステップＳ２９；Ｙｅｓ）、続いて、ステップＳ３０において、当該チャンネルの選局処理をおこない、本処理を終了する。
一方、ＣＰＵ２３１は、ステップＳ２９において、確定されたチャンネル番号の放送局が無いと判断すると（ステップＳ２９；Ｎｏ）、ステップＳ３１に進んで、ＯＳＤ回路１５により所定のＯＳＤデータを映像信号に付加させ、チャンネルが選局できない旨の報知を行う。
【００６９】
ここで、例えば、ユーザがステップＳ２１〜Ｓ２８の処理においてチャンネル番号「５２１」を入力した場合に、ステップＳ２９〜ステップＳ３１において行われるＣＰＵ２３１の処理について具体的に説明する。
例えば、チャンネル番号「５２１」の３桁目「１」の入力から３秒間が経過或いは確定キー３ｈが押下されると、ＣＰＵ２３１は、一定時間が経過或いは確定キー３ｈの操作が有ると判断し、入力されたチャンネル番号「５２１」を確定して、「５２１」のチャンネルの選局を行って、放送局が有るか否かを判断する。そして、ＣＰＵ２３１は「５２１」のチャンネルの放送局が有ると判断した場合には、当該「５２１」のチャンネルの放送信号を受信して、当該チャンネルの番組の視聴を行う。一方、ＣＰＵ２３１は「５２１」のチャンネルの放送局が無いと判断した場合には、ＯＳＤ回路１５において、所定のＯＳＤデータを映像信号に付加させることで、当該「５２１」のチャンネルが選局できない旨をユーザに報知するためのＯＳＤ表示を、映像出力部１６に所定時間（例えば、３秒間）表示させる。
【００７０】
次に、ＣＰＵ２３１は、図９におけるステップＳ３２において、テンキー３ｂの操作が有るか否かを判断し、テンキー３ｂの操作が無いと判断すると（ステップＳ３２；Ｎｏ）、ステップＳ３３において、チャンネルが選局できない旨の報知の消滅後、一定時間が経過したか否かを判断する。ＣＰＵ２３１は、ステップＳ３３において、一定時間が経過していないと判断すると（ステップＳ３３；Ｎｏ）、ステップＳ３２に戻って以上の処理を繰り返し、一方、一定時間が経過したと判断すると（ステップＳ３３；Ｙｅｓ）、元の番組の選局を行って、元の放送番組の視聴に戻り（ステップＳ３４）、本処理を終了する。
一方、ＣＰＵ２３１は、ステップＳ３２において、テンキー３ｂの操作が有ると判断すると（ステップＳ３２；Ｙｅｓ）、操作されたテンキー３ｂに応じて、入力されたチャンネル番号における３桁目をアップ／ダウンさせることにより、３桁目の修正を行い（ステップＳ３５）、ステップＳ２６に戻って以上の処理を繰り返す。
【００７１】
ここで、例えば、ユーザがステップＳ２１〜ステップ３１の処理においてチャンネル番号「５２１」を入力して、当該チャンネルの放送局が無かった場合に、ステップＳ３２〜ステップＳ３５において行われるＣＰＵ２３１の処理について具体的に説明する。
例えば、ＣＰＵ２３１は、テンキー３ｂの操作が有るか否かを判断し、ユーザがテンキー３ｂの操作を行わない場合、テンキー３ｂの操作が無いと判断し、続いて、チャンネルが選局できない旨の報知を消してから、一定時間が経過したか否かを判断する。そして、ＣＰＵ２３１は、一定時間が経過したと判断すると、元の放送番組のチャンネルを再び選局して、元の放送番組の視聴に戻る。
一方、ユーザが、例えばテンキー「２」３ｂの操作を行った場合、ＣＰＵ２３１は、テンキー３ｂの操作が有ると判断して、当該テンキー３ｂの操作に応じて、チャンネル入力画面に表示された「５２１」の３桁目「１」を「２」に修正させ、再び、前述した処理を行う。即ち、ＣＰＵ２３１は、３桁目が修正されてから一定時間が経過したか否か或いは確定キー３ｈの操作が有るか否かを判断し、一定時間が経過したか否か或いは確定キー３ｈの操作が有ると判断すると、入力されたチャンネル番号「５２２」を確定して、当該チャンネル番号「５２２」の選局を行い、放送局が有るか否かを判断し、放送局が有ると判断すると、当該チャンネル「５２２」のチャンネルの放送信号を受信して、当該チャンネルの番組の視聴を行う。
【００７２】
以上説明した本発明にかかる実施形態２のテレビジョン受像機２００によれば、ＣＰＵ２３１による修正プログラム２３４ｂの実行により、テンキー３ｂの操作によるチャンネル番号の入力後、一定時間の間の数字キーの操作に応じて、入力されたチャンネル番号における末尾の桁の数字が修正されるので、チャンネル番号における末尾の桁の数字を誤入力した場合であっても、１桁目から入力し直す必要がなくなり、一の数字キーの操作のみで、チャンネル番号の誤入力を容易に修正できることとなる。
【００７３】
なお、本発明は、上記実施の形態に限定されることなく、本発明の趣旨を逸脱しない範囲において種々の改良並びに設計の変更を行ってもよい。
例えば、チャンネル番号の桁数は３桁に限ることなく、１桁や２桁、メインチャンネルとサブチャンネルから成る４桁以上のチャンネルを選局する設定であっても良い。
また、チャンネル入力画面は、地上デジタルキー３ｄ、ＢＳキー３ｅ、ＣＳキー３ｆが押下操作された場合にも表示される構成であっても良い。
また、修正プログラム１８４ｂ、２３４ｂの実行において、チャンネルアップ／ダウンキー３ｃによる末尾の桁の修正が有効な一定時間は、映像出力部１６に表示させたチャンネル番号における修正可能な桁を点滅させて、ユーザに修正が可能であることを報知する構成であっても良い。
また、チャンネル番号の入力の際、チャンネル入力画面を表示させなくともよく、例えば、視聴中の番組にＯＳＤ表示を重ねて、入力されたチャンネル番号をＯＳＤ表示させる構成であっても良いし、リモコンに表示パネルを設けて、当該表示パネルに入力されたチャンネル番号を表示させる構成であっても良い。
また、修正プログラム１８４ｂ、２３４ｂの実行において、一定時間以内に修正可能な桁は、末尾の桁に限ることなく、その他の桁であっても良い。また、一定時間以内に十字キーの操作をすることにより、修正可能な桁をユーザが選択できる構成であっても良い。
また、修正プログラム１８４ｂ、２３４ｂの実行において、初めに専用のキーを操作し、その後アップ／ダウンキーや数字キーを操作して、所定の桁の数字を修正する構成であってもよい。
【図面の簡単な説明】
【００７４】
【図１】実施形態１におけるテレビジョン受像機の要部構成を示すブロック図である。
【図２】リモートコントローラの平面図である。
【図３】ＣＰＵによるチャンネル入力画面表示プログラムの実行により、映像出力部に表示されるチャンネル入力画面を例示する図である。
【図４】ＣＰＵによる報知プログラムの実行により、映像出力部に表示される画面を例示する図である。
【図５】実施形態１において、ＣＰＵにより実行されるチャンネル選局処理を示すフローチャートである。
【図６】チャンネル番号の入力操作に基づいて、映像出力部に表示されるチャンネル入力画面を例示する図である。
【図７】ＣＰＵによる修正プログラムの実行において、映像出力部に表示されるチャンネル入力画面を例示する図である。
【図８】実施形態２におけるテレビジョン受像機の要部構成を示すブロック図である。
【図９】実施携帯２において、ＣＰＵにより実行されるチャンネル選局処理を示すフローチャートである。
【図１０】チャンネル番号の入力操作に基づいて、映像出力部に表示されるチャンネル入力画面を例示する図である。
【図１１】ＣＰＵによる修正プログラムの実行において、映像出力部に表示されるチャンネル入力画面を例示する図である。
【符号の説明】
【００７５】
１００          テレビジョン受像機（チャンネル選局装置）
３ｂ            テンキー（数字キー）
３ｃ            チャンネルアップ／ダウンキー（アップ／ダウンキー）
１８１          ＣＰＵ（修正手段）
１８４ｂ        修正プログラム（修正手段）
２００          テレビジョン受像機（選局装置）
２３１          ＣＰＵ（修正手段）
２３４ｂ        修正プログラム（修正手段）
【図１】
2007288516.tif 000003
【図２】
2007288516.tif 000004
【図３】
2007288516.tif 000005
【図４】
2007288516.tif 000006
【図５】
2007288516.tif 000007
【図６】
2007288516.tif 000008
【図７】
2007288516.tif 000009
【図８】
2007288516.tif 000010
【図９】
2007288516.tif 000011
【図１０】
2007288516.tif 000012
【図１１】
2007288516.tif 000013